(57)【要約】      （修正有）【課題】日本の住宅では、一段高い段差の玄関ホールのある、比較的狭い玄関があるが。その玄関に自転車置く希望も多く、あと少し玄関のスペースがあれば自転車が置ける場合も多かった。【解決手段】住宅の玄関に自転車を置くために  土間より高くなっている玄関ホール上に敷く板(１)の広さは自転車から落下する土砂を受ける広さであること、前記板上(１)に立てた自転車の車輪を挟む一対のガイド(２)の自転車進入方向から見て前方垂直部間をつなぐストッパー(３)と、前記玄関ホール上に敷く板（１）に自転車を土間から上げる為の斜板(４)と、前記玄関ホール上に敷く板(１)と前記斜板(４)を回動自在に連結する連結部(５)と、前記玄関ホール上に敷く板(１)から下方に玄関土間まで延びた高さ調整可能な橋脚状の板(６a・６ｂ)または高さ調整可能な足(１２)のある構成とする。【選択図】図１
0003126768.tif 000002
【実用新案登録請求の範囲】
【請求項１】
住宅の玄関に自転車を置くために  土間より高くなっている玄関ホール上に敷く板(１)と、前記玄関ホール上に敷く板（１）の広さは自転車から落下する土砂を受ける広さであること、前記玄関ホール上に敷く板（１）上に立てた自転車の車輪を挟む一対のガイド(２)と、前記一対のガイド(２)の自転車進入方向から見て前方垂直部間をつなぐストッパー(３)と、前記玄関ホール上に敷く板（１）に自転車を土間から上げる為の斜板(４)と、前記玄関ホール上に敷く板(１)と前記斜板(４)を回動自在に連結する連結部(５)と、前記玄関ホール上に敷く板(１)から下方に玄関土間まで延びた橋脚(６)を有する玄関用自転車置き台装置。
【請求項２】
前記玄関ホール上に敷く板(１)または前記斜板(４)のいずれか一方または両方の周囲に土砂の落下と飛散を防ぐ縁(７)を設けた請求項１に記載の自転車置き台装置。
【請求項３】
前記玄関ホール上に敷く板(１)から下方に玄関土間まで延びた橋脚(６)を高さ調整可能な橋脚状の板(６a,６ｂ)または高さ調整可能な足(１２)の取り付けに変更した請求項１または２に記載の自転車置き台装置。
【請求項４】
自転車を載せるとき自転車置き台が前方に移動しないように前ストッパー(１０)および横方向に移動しないように１個あるいは複数の長さが変更できる横ストッパー(１１)を付けたか、または滑り止めを付けた請求項１から３のいずれかに記載の自転車置き台装置。
【考案の詳細な説明】
【技術分野】
【０００１】
本考案は、住宅の玄関において、段差のあるホールに自転車を置く装置に関するものである。
【背景技術】
【０００２】
これまでの自転車用駐輪装置は公共の場所において、自転車を倒さないで、なるべく多くの自転車を駐輪させる為の考案で、機構的な回動機構や連動機構や滑動機構を使った複雑な機構の物であった。例えば特許文献１の様な装置。それ以外の考案は単に個人の住宅の車庫や自転車置き場で自転車の転倒防止の考案であった。
【０００３】
しかし、日本式の一段高い段差の玄関ホールのある比較的狭い玄関でも自転車置く希望も多く、あと少し玄関のスペースがあれば自転車が置ける場合も多かった。
【０００４】
また、自転車の車輪をはさんで左右に転倒させない事を特長とする装置があった。例えば特許文献２の自転車スタンドなどがある。
【特許文献１】特公平０８−０１８５８２（二輪車駐車装置）
【特許文献２】特開２００５−９６５４２（自転車スタンド）
【考案の開示】
【考案が解決しようとする課題】
【０００５】
しかしながらこれらの考案は公共の場所において、自転車を倒さないで、なるべく多くの自転車を駐輪させる為の考案か、個人の住宅の車庫で自転車を倒れにくくする考案であった。特にスペースを広く使おうとする考案は機構的に複雑な回動機構と連動機構や滑動機構を使った物であり、個人住宅の玄関に置くにはコスト高であり、大げさな構造であった。
今回の考案は図２のように、これまで自転車の置けなかった、玄関ホールの有る狭い玄関に自転車を置くことができ、しかも玄関ホールが汚れない、新しいタイプの自転車置き装置を提供することを課題とする。
【課題を解決するための手段】
【０００６】
請求項１となる第１の考案は、
住宅の玄関に自転車を置くために  土間より高くなっている玄関ホール上に敷く板１と、前記玄関ホール上に敷く板１の広さは前記自転車から落下する土砂を受ける広さであること、前記玄関ホール上に敷く板１上に立てた前記自転車の車輪を挟む一対のガイド２と、前記一対のガイド２の自転車進入方向から見て前方垂直部間をつなぐストッパー３と、前記玄関ホール上に敷く板１に自転車が土間から上がる為の斜板４と、前記玄関ホール上に敷く板１と前記斜板４を回動自在に連結する連結部５と、前記玄関ホール上に敷く板１から下方に玄関土間まで延びた橋脚６を有することを特徴としている。
【０００７】
玄関ホール上に板１を敷くことにより、この板１上に自転車の一部または全部を乗せる位置が決まる。また、玄関ホール上に板１を敷くことにより自転車の汚れから玄関ホールを防ぐことになる。自転車が土間から上がる為の斜板４を取り付けることにより、手で自転車のハンドルや荷台を持って前輪あるいは後輪を玄関ホール上板１に上げること無く、斜板４にそって玄関ホール上に敷いた板１に上げることができる。玄関ホール上に敷いた板１に上がれば、玄関ホール上に敷いた板１上に立てた自転車の車輪を挟む一対のガイド２により自転車はスムーズに玄関ホール上に敷いた板１上を進み入れることができる。そして、ストッパー３により前進位置が決まる。
また、自転車の車輪を挟む一対のガイド２は、自転車を止めた時の転倒防止かまたは転倒防止補助である。
【０００８】
玄関ホール上に敷く板１と斜板２を回動自在に連結接続すれば、玄関ホールの傾斜や表面にでこぼこがある各住宅に前記斜板をピタリと合わせることができる。その結果、自転車置き台の設置する時間の短縮、設置後の移動を簡単にする
【０００９】
玄関ホール上に敷いた板１は自転車から落下する土砂などを受ける広さが必要であり。その広さは、前記自転車の車輪を挟む一対のガイドの間を車輪がストッパー３まで回転したとき、あるいは転倒方向に傾斜した時、車輪の上から見た影の部分より広い必要がある。
【００１０】
つまり、玄関ホール上に敷いた板は、自転車の進入した時の方向を基準に前後方向の長さは、車輪の直径の２分の１より長く自転車の全長の１.２倍より小さい寸法とすることもできる。自転車が進入した時の方向を基準にその板の左右方向の広さはタイヤの断面直径の３倍より広く車輪の直径の３分の２より狭い寸法とすることもできる。左右方向の広さを実寸で言えば９０ｍｍ以上５００ｍｍ以下にすることもある。
【００１１】
また、その玄関ホール上に敷く板１と斜板２の材質は、木目の有る板、木の集成材板、合板、合成樹脂板、鉄板、アルミ板、ステンレス板である。一対のガイドは木板、合板、合成樹脂板、鉄板、アルミ板、金属バー、金属パイプである。
【００１２】
一対のガイド２の間隔は自転車タイヤの断面直径以上で自転車が容易に倒れないことを基準に決められる。また、一対のガイド２の大きさは自転車車輪の径を基に自転車が倒れない寸法に決められる。基準として、一対のガイドの間隔は自転車タイヤの断面直径以上で自転車タイヤの断面直径の３倍以下。一対のガイド２の大きさは長手方向が車輪径の２分の１以上で自転車の全長の１.２倍以下であることなどである。
【００１３】
玄関ホール上に敷く板１から下方に玄関土間まで延びた橋脚状の板６または足６を取り付けたことにより、玄関ホールに、玄関ホール上に敷く板の乗る面積が多くない場合、安定の為に前記玄関ホール上に敷く板１から下方に橋脚状の板６または足を取り付ける。
【００１４】
玄関ホール上に敷く板１と斜板４を回動自在に連結する連結部５は蝶番、皮、布、合成樹脂を使うことができる。
【００１５】
請求項２となる第２の考案は、
第１の考案に記載の自転車置き台装置の、前記玄関ホール上に敷く板１または前記斜板４のいずれか一方または両方の周囲に土砂の落下と飛散を防ぐ縁７を設けたことを特徴としている。
【００１６】
請求項３となる第３の考案は、
第１または第２の考案に記載の自転車置き台装置に、前記玄関ホール上に敷く板１から下方に玄関土間まで延びた橋脚は高さ調整可能な橋脚状の板６ａ・６ｂまたは高さ調整可能な足１２を取り付けたことを特徴としている。
【００１７】
玄関ホール上に敷く板１から下方に玄関土間まで延びた高さ調整可能な橋脚状の板６ａ・６ｂまたは高さ調整可能な足１２を取り付けたことにより、玄関ホールに、玄関ホール上に敷く板１の乗る面積が多くない場合でも安定する。
【００１８】
玄関ホール上に敷く板１と斜板２を回動自在に連結接続し安定の為に前記玄関ホール上に敷く板１から下方に高さ調整可能な橋脚状の板６ａ・６ｂまたは高さ調整可能な足１２を取り付けることにより、玄関ホールの高さがまちまちな各住宅にこの自転車置き台装置をピタリと合わせることができる。その結果、自転車置き台の設置する時間の短縮、設置後の移動を簡単にする
【００１９】
請求項４となる第４の考案は、
第１から第３のいずれかの考案に記載の自転車置き台に、自転車を載せるとき自転車置き台が前方に移動しないよう前方ストッパー１０および横方向に移動しないよう１個あるいは複数の長さが変更できる横ストッパー１１を付けたか、または滑り止めを付けたことを特徴としている。
【００２０】
前方向スットパー１０は玄関ホール上に敷く板１の下面に取り付け、土間より高くなっている玄関ホール縁にスットパー１０が当たり、主にこの装置が前方に移動するのを防ぐ。複数の横方向スットパー１１は玄関ホール上に敷く板の側面または上面または下面に取り付け、この装置の横方向の壁に板あるいは棒状の構造物でこの装置の移動を妨げる。また横方向のストッパー１１は長さが調整できるように、長穴を開けた長方形板ともう一枚の長方形板を蝶形ナット８で止めるようになっていることもある。
【００２１】
スットパーの代わりに接着剤や樹脂などによる滑り止めや両面テープで、玄関ホール上に敷く板１を玄関ホール上に止める事もできる。
【考案の効果】
【００２２】
当然ながら、今までは玄関の土間寸法が自転車より狭い場合、玄関の土間に入れる事ができなかった。本考案の玄関用自転車置き装置によれば、玄関ホール上まで自転車の一部又は全部が入るので、自転車を玄関に置くことができる。
【００２３】
また、日本の生活習慣においては、靴を脱いで家の中に入る。この考案の方法では自転車は板の上１に進入し玄関ホールを直接汚すことが無いので日本人の生活習慣に適している。なお、現状自転車の置けるスペースのある玄関でも、本考案の装置を設置したときは自転車の設置場所の自由度が高まり、玄関の有効利用の効果 がある。
【００２４】
加えて、子供がすわって靴を脱ぎ履くなどの人通りの多い玄関であるが、一対のガイド２が有ることにより自転車の横方向の転倒を防ぎ安全性を高める。
【００２５】
この装置を、必要とする住宅の玄関に設置しようとすると、玄関ホールと土間との高さの差が、各家まちまちである。よって、玄関ホール上に敷く板１と  自転車が土間から上がる為の斜板４の角度が固定だとすると、各家にオーダーメイドの装置を製作する事に成り、製作コストが高くなることが予想される。    
【００２６】
そこで、玄関ホール上に敷く板１から下方に玄関土間まで延びた橋脚は高さ調整可能な橋脚状の板６ａ・６ｂまたは高さ調整可能な足１２を取り付け、玄関ホール上に敷く板１と  自転車が土間から上がる為の斜板４を回動自在に連結する連結部５を有する事により玄関ホールと土間との高さの差が変動しても前記斜板４の土間側の端が土間に取り付く。
最小限の構成材料で装置を作るので家の外に自転車置き場を作る場合に比べて経済的である。また、木目の有る板や木の集成材板などを使用すれば玄関の美観も損なうことが無い。
【考案を実施するための最良の形態】
【００２７】
以下実施例につき本考案を詳細に説明する。大まかな図面的な表現は、従来のままでは自転車の入れられない住宅の玄関図２に図３のように自転車を置くことである。
【実施例１】
【００２８】
第１の考案を主に実施例１として図４を例に説明すると。
住宅の玄関に自転車を置くために、土間より高くなっている玄関ホール上に、自転車の進入した時の方向を基準に、その板の前後方向の長さは、車輪の直径の１.３倍とし、左右方向の広さは車輪直径の２分１寸法の方形板１を敷く。
【００２９】
玄関ホール上に敷く板１から自転車の車輪を挟むパイプを逆Ｕの字に曲げたガイド２一対を取り付ける。その各逆Ｕ字パイプのガイド２の下面パイプ入り口部を蓋するような円形鉄板を溶接する。
【００３０】
その円形鉄板の中心には雌ネジを切って置く。玄関ホール上に敷く板１の下面から、板１にボルト９の頭が隠れるように、ボルト９を、先ほど溶接した一対のガイド２下面にある円形鉄板の中心の雌ネジに取り付ける。２本のパイプで作ってある一対のガイド２の、自転車の侵入方向を基準に前側の垂直部に車輪を止めるストッパーパイプ３を掛け渡し溶接する。
【００３１】
また、自転車を載せたときに玄関ホール上に敷く板１が玄関ホールより落下しないように、玄関ホール上に敷く板１から下方に玄関土間まで延びた橋脚状の板６を取り付ける。玄関ホール上に敷く板１と、自転車が土間から上がる為の斜板４を、両板の接触部下面２箇に所取り付けた蝶番５により接続する。
【実施例２】
【００３２】
第２の考案を主に実施例２として図５を例に説明すると。
実施例１の図４に記載の自転車置き台装置に、自転車の侵入方向以外の玄関ホール上に敷く板１の周囲に土砂の落下と飛散を防ぐ木製または金属製の縁７を接着、スクリューネジ、鬼目ナットとボルト、くぎのいずれかあるいは組み合わせで取り付ける。
【００３３】
縁７を取り付けることにより使用時や清掃時に土砂や粉塵が玄関ホール上に落下しないようにする。また、風による土砂や粉塵の飛散を防ぐ。
【実施例３】
【００３４】
第３の考案を主に実施例３として図６を例に説明すると。
実施例１の図４と、実施例２の図５のいずれかに記載の自転車置き台装置の玄関ホール上に敷く板１から下方に延びた橋脚状の板６を重なるように２枚の板６ａ・６ｂに分ける。１枚の板６ａにボルトがねじ込める鬼目ナットを板６ａの横幅広方向の左右対象で上下同位置に１個づつ２個付け、玄関ホール上に敷く板１から下方に橋脚状に取り付ける。
【００３５】
もう一枚の板６ｂにボルトの軸が移動できる縦方向の長穴を、先ほど取り付けた板６ａの鬼目ナットの位置に2個開ける。その板６ａに縦方向の長穴の付いた板６ｂを重ね合わせる。つぎに、蝶形ボルト８でこの縦方向の長穴の付いた板６ｂの下面が土間の表面に接触した位置で先ほどの鬼目ナットの付いた板６ａに固定する。
【００３６】
こうすることにより、蝶型ボルト８を緩めて縦方向の長穴の付いた板６ｂを上下し、玄関ホールの高さで板６ｂを止め蝶型ボルト８で締め付ければ、玄関ホール上に敷く板１と斜板４を回動自在に連結することと両方で、玄関ホールの高さが各家々でまちまちでも自転車置き台が正確にセットできる。
【００３７】
この高さ調整可能な橋脚状の板６ａ・６ｂかわりに図８の様な、高さ調整可能な足１２を玄関ホール上に敷く板１の下面に２個取り付けることもできる。この高さ調整可能な足１２は板金により折り曲げ整形した角柱１２aの底面にボルト用の雌ネジを切る。その雌ネジに高さ調整するためのボルト１２ｃを取り付け玄関ホールの高さにボルト１２ｃをねじ込んで合わせる。位置が決まればロックナット１２ｂにより固定する。
【実施例４】
【００３８】
第４の考案を主に実施例４として図１と図７を例に説明すると。
実施例３の図６に記載の自転車置き台装置の玄関ホール上に敷く板１の下面に、自転車の進入方向に水平直角に、角材を取り付け前ストッパー１０とし、自転車を入れるときにこの自転車置き装置が前に移動しないようにする。
【００３９】
玄関ホール上に敷く板１から横に１枚の板１１aをはみ出すよう取り付け、その板１１aにボルトの軸が移動できる縦方向の長穴を空け、もう１枚の板１１ｂにボルトがねじ込める鬼目ナットを１個付ける。この２枚の板を重ね、自転車進入時にハンドルが玄関の側面の壁や靴箱に当たらない最小長さの位置に蝶形ボルト８で固定する。この合わせた２枚の板を横ストッパーとする。
【００４０】
この長穴の空いた板１１aと鬼目ナットを取り付けた板１１ｂをもう１セット用意し自転車が土間から上がる斜板４の横にはみ出すよう取り付ける。そして、同様に自転車進入時にハンドルが玄関の側面の壁や靴箱に当たらない最小長さの位置に蝶形ボルト８で固定する。この２セットの横ストッパーによりこの自転車置き装置に自転車を入れた時この置き装置自体が横方向に移動しないように支持する。
【００４１】
このストパーに加えてまたは代わりに、玄関ホール上に敷く板１、橋脚状の板６,６ｂあるいは高さ調整可能な足１２、自転車が土間から上がる為の斜板４の土間に接する部分の，それぞれの下面にゴムあるいは樹脂製の滑り止めを取り付け、この自転車置き装置に自転車を入れた時この置き装置自体が移動しないように支持することもある。また、この自転車置き装置がハネないように衝撃吸収として作用することもある。
【図面の簡単な説明】
【００４２】
【図１】第４実施例を建物に配置した実体図である。
【図２】狭い玄関に自転車を入れようとした時の側面図である。
【図３】狭い玄関にこの玄関ホール用自転車置き装置を置いて自転車を入れた時の側面図である
【図４】第１実施例実体図である。
【図５】第２実施例実体図である。
【図６】第３実施例実体図である。
【図７】第４実施例実体図である。
【図８】第３実施例の高さ調整可能な足の断面図である。
【符号の説明】
【００４３】
１    玄関ホール上に敷く板
２    自転車の車輪を挟む一対のガイド
３    ガイドの前方垂直部間をつなぐストッパー
４    自転車を土間から上げる為の斜板
５    連結部
６    玄関土間まで延びた橋脚
６ａ  鬼目ナットを２個つけた橋脚状の板
６ｂ  縦方向の長穴の付いた高さ調整可能な橋脚状の板
７    土砂の落下と飛散を防ぐ縁
８    蝶形ボルト
９    ガイド止めボルト
１０    前ストッパー
１１    横ストパー全体
１１ａ  縦方向の長穴の有る横ストッパー用板
１１ｂ  鬼目ナットを付いた横ストッパー板
１２    高さ調整可能な足
１２ａ  折り曲げ整形した角柱
１２ｂ  高さ調整するためのボルト
１２ｃ  ロックナット
１３    自転車
１４    住宅
１５    土間
１６    玄関ホール
１７    玄関ホール用自転車置き装置
【図１】
0003126768.tif 000003
【図２】
0003126768.tif 000004
【図３】
0003126768.tif 000005
【図４】
0003126768.tif 000006
【図５】
0003126768.tif 000007
【図６】
0003126768.tif 000008
【図７】
0003126768.tif 000009
【図８】
0003126768.tif 000010